【手続補正書】
【提出日】平成29年2月20日(2017.2.20)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
ビデオデコーダにより、符号化されたビデオストリームから、マルチレイヤビデオデータを受信するステップであって、前記マルチレイヤビデオデータは、
前記マルチレイヤビデオデータのレイヤセットに含まれる第1の出力レイヤセットであって、前記第1の出力レイヤセットは、前記第1の出力レイヤセットが目標出力レイヤセットの第1のリストに関連付けられるように、前記レイヤセットのサブセットを表す、第1の出力レイヤセットと、
前記マルチレイヤビデオデータの前記レイヤセットに含まれる第2の出力レイヤセットであって、前記第2の出力レイヤセットは、前記第2の出力レイヤセットが前記目標出力レイヤセットの第2のリストに関連付けられるように、前記レイヤセットのサブセットを表す、第2の出力レイヤセットと、
前記マルチレイヤビデオデータのシーケンスパラメータセット(SPS)と、
前記SPSに関連する、前記マルチレイヤビデオデータの第1のレイヤと、
空間解像度、ビット深度、またはカラーフォーマットのうちの少なくとも1つについて前記第1のレイヤとは異なる値を有し、かつ前記第SPSに関連する、前記マルチレイヤビデオデータの第2のレイヤと、
を含む、ステップと、
前記ビデオデコーダにより、前記第1の出力レイヤセットまたは前記第2の出力レイヤセットの少なくとも一方に関する符号化されたビデオデータを、前記目標出力レイヤセットの前記第1のリストまたは前記目標出力レイヤセットの前記第2のリストの少なくとも一方を用いて、復号するステップと、
前記ビデオデコーダにより、前記第1のレイヤおよび前記第2のレイヤに関する符号化されたビデオデータを、前記SPSに含まれる情報を用いて復号するステップと、
を含む方法。
【請求項２】
前記ビデオデコーダにより、前記ビデオデータの第1のシンタックス要素を前記ビデオデータの第2のシンタックス要素に変更するステップをさらに含む、請求項1に記載の方法。
【請求項３】
前記第1のシンタックス要素はoutput_layer_flag[lsIdx][j]を含み、前記第2のシンタックス要素はoutput_layer_flag[i][j]を含む、請求項2に記載の方法。
【請求項４】
前記SPSがビデオ活用性情報(VUI)を含み、
前記VUIを含む前記SPSにはタイミング情報が含まれない、請求項1に記載の方法。
【請求項５】
前記第1の出力レイヤセットおよび前記第2の出力レイヤセットのうちの少なくとも一方に関連する目標出力レイヤセットはデフォルトの出力レイヤセットであり、
前記デフォルトの出力レイヤセットの前記目標出力レイヤは明示的にシグナリングされない、請求項1に記載の方法。
【請求項６】
前記SPSに関するレイヤIDが0よりも大きく、
sps_max_sub_layers_minus1およびsps_temporal_id_nesting_flagは前記SPSに含まれない、請求項1に記載の方法。
【請求項７】
前記ビデオデコーダにより、0に等しいoutput_layer_set_idx[i]に使用される前記ビデオデータのシンタックス要素layer_id_included_flag[][]がレイヤセット0に関すると判定するステップと、
前記ビデオデコーダにより、前記判定に基づいて前記output_layer_set_idx[i]をoutput_layer_set_idx_minus1[i]シンタックス要素に変更するステップとをさらに含む、請求項1に記載の方法。
【請求項８】
前記ビデオデコーダにより、前記符号化されたビデオストリームからビデオパラメータセット(VPS)拡張シンタックスにおけるエントロピー符号化されない1組のプロファイル、ティア、およびレベルシンタックス構造を受信するステップと、
前記第1の出力レイヤセットと前記第2の出力レイヤセットとを含む複数の出力レイヤセットの各々に関して前記プロファイル、ティア、およびレベルシンタックス構造のうちの1つを参照するステップと、
をさらに含み、
前記第1の出力レイヤセットまたは前記第2の出力レイヤセットのうち少なくとも一方に関する前記符号化されたビデオデータを復号するステップは、前記ビデオデコーダにより、前記第1の出力レイヤセットまたは前記第2の出力レイヤセットの夫々の出力レイヤセットに関して参照された前記プロファイル、ティア、またはレベルシンタックス構造のうち1つまたは複数からの情報に基づいて前記第1の出力レイヤセットまたは前記第2の出力レイヤセットのうちの少なくとも一方の前記符号化されたビデオデータを前記ビデオデコーダにより復号するステップを含む、
請求項1に記載の方法。
【請求項９】
マルチレイヤビデオデータを符号化する方法であって、
ビデオエンコーダにより、第1の出力レイヤセットおよび第2の出力レイヤセットの少なくとも一方に関するビデオデータを、前記第1の出力レイヤセットに関連する目標出力レイヤセットの第1のリストまたは前記第2の出力レイヤセットに関連する目標出力レイヤセットの第2のリストの少なくとも一方を用いて符号化するステップであって、前記第1の出力レイヤセットと前記第2の出力レイヤセットがともに前記マルチレイヤビデオデータの1つのレイヤセットに含まれる、ステップと、
前記ビデオエンコーダにより、前記マルチレイヤビデオデータの第1のレイヤおよび前記マルチレイヤビデオデータの第2のレイヤに関するビデオデータを、前記マルチレイヤビデオデータに関連するシーケンスパラメータセット(SPS)においてエンコードするステップと、
前記ビデオエンコーダにより、
前記第1の出力レイヤセットと、
前記第2の出力レイヤセットと、
前記マルチレイヤビデオデータに関連する前記SPSと、
前記SPSに関連する、前記マルチレイヤビデオデータの第1のレイヤと、
空間解像度、ビット深度、またはカラーフォーマットのうちの少なくとも1つについて前記第1のレイヤとは異なる値を有し、かつ前記第SPSに関連する、前記マルチレイヤビデオデータの第2のレイヤと、
を、符号化されたビデオビットストリームに符号化するステップと
を含む方法。
【請求項１０】
前記ビデオエンコーダにより、前記ビデオデータの第1のシンタックス要素を前記ビデオデータの第2のシンタックス要素に変更するステップをさらに含む、請求項9に記載の方法。
【請求項１１】
前記第1のシンタックス要素はoutput_layer_flag[lsIdx][j]を含み、前記第2のシンタックス要素はoutput_layer_flag[i][j]を含む、請求項10に記載の方法。
【請求項１２】
前記SPSがビデオ活用性情報(VUI)を含むステップをさらに含み、
前記VUIを含む前記SPSにはタイミング情報が含まれない、請求項9に記載の方法。
【請求項１３】
前記第1の出力レイヤセットおよび前記第2の出力レイヤセットのうちの少なくとも一方に関連する目標出力レイヤセットはデフォルトの出力レイヤセットであり、
前記デフォルトの出力レイヤセットの前記目標出力レイヤは明示的にシグナリングされない、
請求項9に記載の方法。
【請求項１４】
前記SPSに関するレイヤIDが0よりも大きく、
sps_max_sub_layers_minus1およびsps_temporal_id_nesting_flagは前記SPSに含まれない、請求項9に記載の方法。
【請求項１５】
前記ビデオエンコーダにより、0に等しいoutput_layer_set_idx[i]に使用される前記ビデオデータのシンタックス要素layer_id_included_flag[][]がレイヤセット0に関すると判定するステップと、
前記ビデオエンコーダにより、前記判定に基づいて前記output_layer_set_idx[i]をoutput_layer_set_idx_minus1[i]シンタックス要素に変更するステップとをさらに含む、請求項9に記載の方法。
【請求項１６】
前記ビデオエンコーダにより、ビデオパラメータセット(VPS)拡張シンタックスにおけるエントロピー符号化されない1組のプロファイル、ティア、およびレベルシンタックス構造を前記符号化されたビデオビットストリームに符号化するステップと、
前記第1の出力レイヤセットと前記第2の出力レイヤセットとを含む複数の出力レイヤセットの各々に関して前記プロファイル、ティア、およびレベルシンタックス構造のうちの1つを参照するステップと、
をさらに含み、
前記第1の出力レイヤセットまたは前記第2の出力レイヤセットのうち少なくとも一方に関する前記符号化されたビデオデータを符号化するステップは、前記ビデオエンコーダにより、前記第1の出力レイヤセットまたは前記第2の出力レイヤセットの夫々の出力レイヤセットに関して参照された前記プロファイル、ティア、またはレベルシンタックス構造のうち1つまたは複数からの情報に基づいて前記第1の出力レイヤセットまたは前記第2の出力レイヤセットのうちの少なくとも一方の前記ビデオデータを符号化するステップを含む、
請求項9に記載の方法。
【請求項１７】
ビデオデータを復号するための装置であって、
前記ビデオデータを記憶するように構成されたメモリと、
1つまたは複数の処理ユニットとを備え、前記1つまたは複数の処理ユニットが、
符号化されたビデオストリームから、マルチレイヤビデオデータを受信するステップであって、前記マルチレイヤビデオデータは、
前記マルチレイヤビデオデータのレイヤセットに含まれる第1の出力レイヤセットであって、前記第1の出力レイヤセットは、前記第1の出力レイヤセットが目標出力レイヤセットの第1のリストに関連付けられるように、前記レイヤセットのサブセットを表す、第1の出力レイヤセットと、
前記マルチレイヤビデオデータの前記レイヤセットに含まれる第2の出力レイヤセットであって、前記第2の出力レイヤセットは、前記第2の出力レイヤセットが前記目標出力レイヤセットの第2のリストに関連付けられるように、前記レイヤセットのサブセットを表す、第2の出力レイヤセットと、
前記マルチレイヤビデオデータのシーケンスパラメータセット(SPS)と、
前記SPSに関連する、前記マルチレイヤビデオデータの第1のレイヤと、
空間解像度、ビット深度、またはカラーフォーマットのうちの少なくとも1つについて前記第1のレイヤとは異なる値を有し、かつ前記第SPSに関連する、前記マルチレイヤビデオデータの第2のレイヤと、
を含む、ステップと、
前記第1の出力レイヤセットまたは前記第2の出力レイヤセットの少なくとも一方に関する符号化されたビデオデータを、前記目標出力レイヤセットの前記第1のリストまたは前記目標出力レイヤセットの前記第2のリストの少なくとも一方を用いて、復号するステップと、
前記第1のレイヤおよび前記第2のレイヤに関する符号化されたビデオデータを、前記SPSに含まれる情報を用いて復号するステップと、
を行うように構成される装置。
【請求項１８】
前記ビデオデータの第1のシンタックス要素を前記ビデオデータの第2のシンタックス要素に変更することをさらに含む、請求項17に記載の装置。
【請求項１９】
前記第1のシンタックス要素はoutput_layer_flag[lsIdx][j]を含み、前記第2のシンタックス要素はoutput_layer_flag[i][j]を含む、請求項18に記載の装置。
【請求項２０】
前記SPSがビデオ活用性情報(VUI)を含み、
前記VUIを含む前記SPSにはタイミング情報が含まれない、請求項17に記載の装置。
【請求項２１】
前記第1の出力レイヤセットおよび前記第2の出力レイヤセットのうちの少なくとも一方に関連する目標出力レイヤセットはデフォルトの出力レイヤセットであり、
前記デフォルトの出力レイヤセットの前記目標出力レイヤは明示的にシグナリングされない、請求項17に記載の装置。
【請求項２２】
前記SPSに関するレイヤIDが0よりも大きく、
sps_max_sub_layers_minus1およびsps_temporal_id_nesting_flagは前記SPSに含まれない、請求項17に記載の装置。
【請求項２３】
前記1つまたは複数のプロセッサが、
0に等しいoutput_layer_set_idx[i]に使用される前記ビデオデータのシンタックス要素layer_id_included_flag[][]がレイヤセット0に関すると判定するステップと、
前記判定に基づいて前記output_layer_set_idx[i]をoutput_layer_set_idx_minus1[i]シンタックス要素に変更するステップと、
を行うようにさらに構成される、請求項17に記載の装置。
【請求項２４】
前記1つまたは複数のプロセッサが、
前記符号化されたビデオストリームからビデオパラメータセット(VPS)拡張シンタックスにおけるエントロピー符号化されない1組のプロファイル、ティア、およびレベルシンタックス構造を受信するステップと、
前記第1の出力レイヤセットと前記第2の出力レイヤセットとを含む複数の出力レイヤセットの各々に関して前記プロファイル、ティア、およびレベルシンタックス構造のうちの1つを参照するステップと、
を行うようにさらに構成され、
前記第1の出力レイヤセットまたは前記第2の出力レイヤセットのうち少なくとも一方に関する前記符号化されたビデオデータを復号するために、前記1つまたは複数のプロセッサは、前記第1の出力レイヤセットまたは前記第2の出力レイヤセットの夫々の出力レイヤセットに関して参照された前記プロファイル、ティア、またはレベルシンタックス構造のうち1つまたは複数からの情報に基づいて前記第1の出力レイヤセットまたは前記第2の出力レイヤセットのうちの少なくとも一方の前記符号化されたビデオデータを復号するように構成される、
請求項17に記載の装置。
【請求項２５】
ビデオデータを復号するための装置であって、
符号化されたビデオストリームから、マルチレイヤビデオデータを受信するための手段であって、前記マルチレイヤビデオデータは、
前記マルチレイヤビデオデータのレイヤセットに含まれる第1の出力レイヤセットであって、前記第1の出力レイヤセットは、前記第1の出力レイヤセットが目標出力レイヤセットの第1のリストに関連付けられるように、前記レイヤセットのサブセットを表す、第1の出力レイヤセットと、
前記マルチレイヤビデオデータの前記レイヤセットに含まれる第2の出力レイヤセットであって、前記第2の出力レイヤセットは、前記第2の出力レイヤセットが前記目標出力レイヤセットの第2のリストに関連付けられるように、前記レイヤセットのサブセットを表す、第2の出力レイヤセットと、
前記マルチレイヤビデオデータのシーケンスパラメータセット(SPS)と、
前記SPSに関連する、前記マルチレイヤビデオデータの第1のレイヤと、
空間解像度、ビット深度、またはカラーフォーマットのうちの少なくとも1つについて前記第1のレイヤとは異なる値を有し、かつ前記第SPSに関連する、前記マルチレイヤビデオデータの第2のレイヤと、
を含む、手段と、
前記第1の出力レイヤセットまたは前記第2の出力レイヤセットの少なくとも一方に関する符号化されたビデオデータを、前記目標出力レイヤセットの前記第1のリストまたは前記目標出力レイヤセットの前記第2のリストの少なくとも一方を用いて、復号するための手段と、
前記第1のレイヤおよび前記第2のレイヤに関する符号化されたビデオデータを、前記SPSに含まれる情報を用いて復号するための手段と、
を備える、装置。
【請求項２６】
命令を記憶した非一時的コンピュータ可読記憶媒体であって、前記命令が、1つまたは複数のプロセッサによって実行されたときに、前記1つまたは複数のプロセッサに、
符号化されたビデオストリームから、マルチレイヤビデオデータを受信するステップであって、前記マルチレイヤビデオデータは、
前記マルチレイヤビデオデータのレイヤセットに含まれる第1の出力レイヤセットであって、前記第1の出力レイヤセットは、前記第1の出力レイヤセットが目標出力レイヤセットの第1のリストに関連付けられるように、前記レイヤセットのサブセットを表す、第1の出力レイヤセットと、
前記マルチレイヤビデオデータの前記レイヤセットに含まれる第2の出力レイヤセットであって、前記第2の出力レイヤセットは、前記第2の出力レイヤセットが前記目標出力レイヤセットの第2のリストに関連付けられるように、前記レイヤセットのサブセットを表す、第2の出力レイヤセットと、
前記マルチレイヤビデオデータのシーケンスパラメータセット(SPS)と、
前記SPSに関連する、前記マルチレイヤビデオデータの第1のレイヤと、
空間解像度、ビット深度、またはカラーフォーマットのうちの少なくとも1つについて前記第1のレイヤとは異なる値を有し、かつ前記第SPSに関連する、前記マルチレイヤビデオデータの第2のレイヤと、
を含む、ステップと、
前記第1の出力レイヤセットまたは前記第2の出力レイヤセットの少なくとも一方に関する符号化されたビデオデータを、前記目標出力レイヤセットの前記第1のリストまたは前記目標出力レイヤセットの前記第2のリストの少なくとも一方を用いて、復号するステップと、
前記第1のレイヤおよび前記第2のレイヤに関する符号化されたビデオデータを、前記SPSに含まれる情報を用いて復号するステップと、
を行わせる、非一時的コンピュータ可読記憶媒体。